(57)【要約】      （修正有）【課題】デジタル平板印刷システムの画像形成ローラを含む熱接触画像形成システムを提供する。【解決手段】画像形成ローラ２１５を含み、画像形成ローラ２１５は第１の温度まで加熱されるよう設定される。画像形成装置は、１回転の間に画像形成ローラ２１５を第１の温度まで加熱する１つ以上の発熱体２１９を含む。画像形成ローラ２１５は、クロス処理方向に画像形成プレート２０５とほぼ同じ幅を有し、画像形成プレート２０５及び画像形成ローラ２１５は、画像形成ニップを形成する。画像形成装置は、印刷ヘッド２３０等の溶液吐出メカニズムを含むことができ、この溶液吐出メカニズムが大気温度で画像形成ローラ２１５の表面上にデジタル画像データに従って湿し水又は水を吐出する。【選択図】図２
2013241007.tif 000002
【特許請求の範囲】
【請求項１】
デジタル平板インク印刷に対して有用な熱接触式画像形成装置であって、
画像形成ローラと、
前記画像形成ローラの表面を選択的に冷却するために、前記画像形成ローラの表面に溶液を吐出する滴吐出システムと、を含む装置。
【請求項２】
前記画像形成ローラの表面を第１の温度まで加熱するよう設定される少なくとも１つの外部発熱体を含む請求項１に記載の装置。
【請求項３】
前記画像形成ローラの表面を第１の温度まで加熱するよう設定される内部発熱体を含む請求項２に記載の装置。
【請求項４】
前記滴吐出システムが、前記画像形成ローラの表面を局所的に第２の温度まで冷却するのに十分な温度の前記吐出される溶液をさらに含み、前記第２の温度は、前記第１の温度よりも低い、請求項１に記載の装置。
【請求項５】
前記溶液の温度は、前記加熱済みの画像形成ローラの前記第１の温度より低く、前記溶液が、デジタル画像データに従って、前記画像形成ローラの表面の所望の部分に接触する、請求項１に記載の装置。
【請求項６】
前記画像形成ローラの表面の所望の部分が、デジタル平板インクの印刷処理においてインク画像を形成するために、前記画像形成プレートの表面に塗布されるインクが弾かれる画像形成プレートの部分に対応する、請求項５に記載の装置。
【請求項７】
前記溶液には、水が含まれる請求項１に記載の装置。
【請求項８】
前記画像形成ローラを加熱する少なくとも１つの発熱体を含み、前記少なくとも１つの発熱体及び前記画像形成ローラは、前記画像形成ローラが１回転する間に、前記画像形成ローラを加熱するよう設定される、請求項１に記載の装置。
【請求項９】
前記画像形成ローラの表面を第１の温度まで加熱するよう設定される少なくとも１つの発熱体及び画像形成ローラを含み、前記滴吐出システムのメカニズムが、前記画像形成ローラの表面の選択領域を、前記第１の温度より低い第２の温度まで冷却するために、前記溶液を画像形成ローラの表面の選択領域に付着させるよう設定され、前記第１の温度の前記表面領域、及び前記第２の温度の前記表面領域が潜熱画像を形成する、請求項８に記載の装置。
【請求項１０】
前記滴吐出システムのメカニズムには、印刷ヘッドが含まれる、請求項１に記載の装置。
【発明の詳細な説明】
【技術分野】
【０００１】
本明細書は、平板インクを用いて印刷を行うインクベースのデジタル印刷システム、又はデジタルアーキテクチャの印刷システムに関する。具体的には、本明細書は、デジタル平板インク印刷システムの中央画像形成ドラムの画像形成プレートとニップを形成する画像形成ローラを含む熱接触画像形成システムに関する。
【背景技術】
【０００２】
インクベースの可変データ印刷に対して、デジタルオフセットの印刷システム又はデジタルアーキテクチャの印刷システムを使用することができる。デジタルオフセットの印刷処理では、光エネルギーを吸収可能な画像形成プレート、又はブランケットを、回転可能な画像形成ドラム、又はシリンダの外周部に配置することができ、この画像形成プレート又はブランケットの表面全体に湿し水の薄膜を均一に塗布する。回転可能な画像形成シリンダは、それに隣接するサブシステム即ち処理ステーションを通過させながら、画像形成プレートの表面の領域を移動させるよう設定可能であり、それらの処理ステーションには、湿し水を塗布する湿しローラと、画像の形成つまり画像形成プレートの選択領域から画像の形状の湿し水を気化させる画像形成システムと、画像形成プレートの表面にインクを塗布するインク塗布ローラと、印刷媒体にインク画像を転写させる転写ステーションと、画像プレートの表面から残留物を取り除き、処理を再度始めるために表面を整えるクリーナシステムと、が含まれる。
【０００３】
湿し水を画像形成プレートに塗布した後、インクベースのデジタル印刷処理では、高出力のレーザを備える画像形成システムを用いて、プレートの表面の選択領域から画像の形状で湿し水を気化させることができる。湿し水を局所的に加熱しプレートの表面から蒸発させるために、光エネルギーを吸収するよう画像形成プレートは設定される。デジタル画像のデータによりインクが付着し、これによりインク画像が形成されるプレート上の領域で、湿し水を選択的に気化させるために高出力レーザ等の変調光源を実装することができる。画像形成ゾーンから湿し水の蒸気を取り除くために吸引マニホールドを実装することができる。インクはインク塗布ローラにより塗布され、湿し水が気化した後の画像形成プレート内の選択領域に付着して、インク画像が形成され得る。これとは反対に、湿し水が残る画像形成プレート表面内の領域では、インクは弾かれ得る。インク画像は、転写ステーションで圧力のもと、紙又はその他の好適な媒体に転写され得る。
【０００４】
従来技術のデジタル平板インク印刷に関する画像形成システムでは製造コストがかかる。従来技術の画像形成システムでは、光強度に関する要求条件を緩和する努力として、赤外線（「ＩＲ」）レーザ等の高出力の光源、及び低い気化熱を有する代替的な湿し水を使用している。
【発明の概要】
【発明が解決しようとする課題】
【０００５】
従来技術のＩＲレーザ光源を用いる従来の高出力レーザベースの画像形成システムは、コスト高である。平板インク印刷で使用するために水ベースの湿し水が所望されるが、水の蒸発潜熱が高温のため、画像の形成処置中に非常に多い電力の供給が余儀なくされる。例えば、２ｍ／ｓで走行する単色の２４インチ幅の処理では、２μｍの厚さ水の膜を蒸発させるために、画像形成装置から６．３ＫＷの最少放射電力の供給が必要となり得る。これらのコストを軽減するために、より低い気化熱を有するシンナーベースの湿し水層や代替的な湿し水の材料の開発が行われてきた。従来のシステムと比べると、エネルギー及びコストの節約に対応する、熱接触式画像形成装置、システム、及び方法を提供する。
【課題を解決するための手段】
【０００６】
一実施形態では、装置はデジタル平板インク印刷に対して有用な熱接触式画像形成装置を含むことができる。熱接触式画像形成装置は、画像形成ローラと、滴吐出システムとを含むことができ、この滴吐出システムは、画像形成ローラの表面を選択的に冷却するために画像形成ローラの表面に溶液を吐出するよう設定される。この装置は、少なくとも１つの外部発熱体を含むことができ、これらの発熱体は、画像形成ローラの表面を第１の温度まで加熱するよう設定される。この装置は、少なくとも１つの内部発熱体を含むことができ、この内部発熱体は画像形成ローラの表面を第１の温度まで加熱するよう設定される。この装置は、滴吐出システムを含むことができ、この滴吐出システムは、周囲温度で、あるいは画像形成ローラの表面を第２の温度まで局所的に冷却するのに十分な温度で、溶液を吐出するよう設定され、この第２の温度は第１の温度よりも低い。
【０００７】
この実施形態では、溶液の温度は、加熱済みの画像形成ローラの第１の温度より低くてよく、この溶液は、デジタル画像データに従って画像形成ローラの表面の所望部分に接触する。この画像形成ローラの表面の所望部分は、デジタル平板インクの印刷処理においてインク画像を形成するために、画像形成プレートの表面に塗布されるインクが弾かれる画像形成プレートの部分に対応する。実施形態では、この溶液は水ベースの溶液を含むことができる。実施形態では、少なくとも１つの発熱体を含んで、画像形成ローラを加熱することができ、この少なくとも１つの発熱体及び画像形成ローラは、画像形成ローラが１回転する間に、画像形成ローラの表面を第１の温度まで加熱するよう設定される。
【０００８】
一実施形態では、装置は画像形成ローラの表面を第１の温度まで加熱するよう設定された少なくとも１つの発熱体及び画像形成ローラと、画像形成ローラの表面の選択領域を第１の温度より低い第２の温度まで冷却するために、画像形成ローラの表面の選択領域に溶液を塗布するよう設定された滴吐出システムと、を含むことができ、第１の温度の表面領域と第２の温度の表面領域とが潜熱画像を形成する。滴吐出システムは、印刷ヘッドを含むことができる。この印刷ヘッドは、デジタル画像データに従って、印刷ヘッドを制御するデータソースを含むことができる。
【０００９】
システムの一実施形態では、デジタル平板印刷システム又はインクベースのデジタル印刷システムは、湿し水又はベースの溶液の膜を選択的にパターン化する画像形成装置を含むことができ、この画像形成処理装置は、画像形成ローラと、画像形成装置の画像形成ローラと画像形成ニップを形成する、画像形成シリンダ内の画像形成プレートとを含み、この画像形成プレートは、湿し水又は水ベースの溶液の膜を画像形成ニップに運ぶよう設定される。一実施形態では、滴吐出システムのメカニズムは、溶液を画像形成ローラ上に吐出して、湿し水又は水ベースの溶液の膜を選択的にパターン化するための熱潜像を形成するよう設定される。システムの一実施形態では、画像形成装置は、画像形成ローラを第１の温度まで加熱にするよう設定され得、滴吐出システムは、デジタル画像データに従って、溶液を画像形成ローラの表面の選択部分上に吐出して、画像形成ローラの選択部分を第２の温度まで冷却するよう設定され、第２の温度は第１の温度より低い。
【００１０】
システムの一実施形態では、画像形成装置は、画像形成ローラを加熱する少なくとも１つの発熱体を含むことができ、これらの少なくとも１つの発熱体及び画像形成ローラは、画像形成ローラが１回転する間に、画像形成ローラの表面を第１の温度まで加熱するよう設定される。システムは、印刷ヘッドを含む滴吐出システムのメカニズムを含むことができる。印刷ヘッドは、データソースに接続することができ、このデータソースは印刷ヘッドと通信することができる、且つ／又は、デジタル画像データに従って、印刷ヘッドを制御することができる。一実施形態では、システムは、湿し水又は水ベースの溶液の膜を選択的にパターン化した後にインクを画像形成プレートに塗布するインク塗布システムを含むことができる。一実施形態では、画像形成ニップで第２の温度まで冷却された画像形成ローラの選択領域に接触する画像形成プレートの部分にインクが付着されるようシステムは設定され得る。
【００１１】
方法の一実施形態では、デジタル平板インクの印刷に有用な接触式画像形成処理では、画像形成ローラの表面を第１の温度まで加熱するステップと、第１の温度の領域と第２の温度の領域とを含む熱潜像を形成する画像形成ローラの表面の選択部分に湿し水を吐出するステップと、を含むことができる。一実施形態では、湿し水を吐出するステップは、デジタル画像データに従って実行され、制御装置に接続した印刷ヘッドにより溶液が吐出される。一実施形態では、方法は、インク画像を形成するためにインクが塗布され付着される、画像形成プレートの領域から湿し水を選択的に取り除くために、第１の温度のままの画像形成ローラの表面領域、即ち溶液が吐出なかった領域から画像形成プレート上に形成された湿し水の膜に、熱エネルギーを転移させるステップを含むことができる。
【図面の簡単な説明】
【００１２】
【図１】図１は、デジタルアーキテクチャの印刷システム及びプロセスの概略側面図である。
【図２】図２は、例示的な実施形態による、デジタルアーキテクチャの画像形成システムの概略斜視図である。
【図３】図３は、例示的な実施形態による、デジタル平板インク印刷の方法の流れ図である。
【発明を実施するための形態】
【００１３】
熱接触式画像形成ローラの画像形成システムを用いるデジタルアーキテクチャの印刷を行う装置、システム、及び方法の理解に対応するために図面を参照する。図面では、全体を通して同様の参照符号を用いて、類似又は同一の要素を指定する。図面では、平板インクを用いてデジタルアーキテクチャの印刷を実行する例示の装置、及びシステムの実施形態に関連する種々の実施形態が示される。
【００１４】
平板インクを用いる可変データ印刷に対して、デジタルオフセット印刷システム、又はデジタルアーキテクチャの印刷システムを使用することができる。図１には、紙のカットシート、紙のウェブ、及び／又は平板インクを用いる印刷に好適なその他の材料等の媒体上に印刷を行うデジタルオフセットシステム、又はデジタルアーキテクチャの印刷システム１００が示される。システム１００は、シリンダ１０１等の画像形成部を含むことができる。画像形成シリンダ１０１は、画像形成プレート１０５を含むことができ、この画像形成プレート１０５はシリンダ１０１の外周部上に形成される。このプレートは、天然エストマー又は合成エストマーのどちらかで形成され得る。従来技術のシステムでは、このプレートが光エネルギーを吸収して画像形成処理に適用するよう設定され、光エネルギーをプレートの表面の選択領域に集中させて、その選択領域上に位置する湿し水を局所的に蒸発させる。実施形態の熱接触式画像形成装置、システム、及び方法により、画像形成プレートに対する光吸収機能は必要なくなる。
【００１５】
画像形成シリンダ１０１は、それに隣接するサブシステムを通過させながら画像形成プレートの領域１０５表面を移動させるために、図１に示す画像形成シリンダの矢印に対応して処理方向に回転することができ、これらの隣接するブシステムの中には、画像形成プレート１０５の表面に湿し水を塗布する湿しローラ又は湿し水システム１０７と、平行レーザ光源を用いて画像形成プレート１０５の選択領域から湿し水を画像の形状で気化させる、関連する画像形成装置システム１１１と、画像形成プレート１０５の表面にインクを塗布するインク塗布ローラ１１３と、圧力のもとでインク画像を紙等の印刷媒体に転写させる転写ステーション１２１と画像形成プレート１０５の表面から、残留物を取り除き、処理を再度始めるために画像形成プレート１０５表面を整えるクリーナシステム１２２と、が含まれる。
【００１６】
図１に示すシステムを用いるデジタル平板印刷処理では、エラストーマの画像形成プレート１０５を含む画像形成シリンダ１０１を、薄い湿し水の均一の膜で湿らせる。高出力の変調光源を用いて、画像コンテンツが所望される画像形成プレートの領域１０５の湿し水を選択的に気化させる。吸引マニホールド又は類似の装置を用いて、湿し液の蒸気を画像形成ゾーンからそらして、画像形成処理への障害を防止することができる。回転可能な画像形成シリンダ１０１により、画像形成プレート１０５はインク塗布ローラのニップを通過することができる。インク塗布ローラのニップは、インク塗布ローラ１１３を含むことができ、このインク塗布ローラ１１３はプレート１０５上にインクを塗布するよう設定され得、これにより、湿し水が気化した後のプレートの部分にインクが付着する。転写ステーション１２１での転写を容易にするために、１つ以上のＵＶランプを用いて、プレート上のインクを部分的に硬化させることができる。画像形成プレート１０５上に形成されたインク画像を、転写ニップで圧力を用いて媒体に転写させることができる。転写効率が、ほぼ１００％に近くない場合、プレート１０５から残余インクを取り除くようクリーニングシステムを設定することができる。
【００１７】
従来技術の画像形成システムを含むデジタル平板インク印刷システムの特性は、湿し水を蒸発させるのに必要な電力量により制限される。水ベースの湿し水は平板印刷業界では一般的であり、その低コストのために好まれているが、水の蒸発潜熱が高温のため、かなりの電力要求条件が必要となる。赤外線レーザ光源を用いる画像形成装置では、これらの電力要求条件を満たすことができるが、かなりの製造コストがかかる。従来技術の画像形成装置は、平行レーザ光源と、マイクロミラー変調器のアレイと、投影光学系とを含むことができ、レーザからの光エネルギーが、個々のマイクロミラーから画素単位で反射され、次いで光学系により、画像形成プレート１０５の表面の最上段の画像面上に集められる。プレート１０５により光エネルギーが吸収されて、湿し水を局所的に加熱し蒸発させる。極端に薄い湿し水の層を表面に均一に塗布することができない場合、全ての水ベースの湿し水では、その処理速度が制限される。そのため、より低い蒸発潜熱を有する代替的な湿し水の材料が検討されてきたが、そのような示し水の材料はコストが高く、その使用に関して独自の健康や環境に対する懸念がある。
【００１８】
画像形成ローラを用いる従来技術のレーザベースの画像形成システムに代わり、熱接触式画像形成装置、システム、及び方法を提供する。画像形成ローラの表面材料が、特定な力学特性及び熱特性を持つよう設定することができる。ローラの表面が湿し水の沸点より高い温度まで加熱され、温度制御システムにより、絶えずその温度で維持するようこのローラを設定することができる。温度制御システムは、１つ以上の発熱体を含むことができ、これらの発熱体は、ローラ、及び／又は水ベースの内部ローラ加熱システムに接続する。熱接触式画像形成システムの画像形成ローラを、この画像形成ローラと画像形成プレートにより形成された画像形成ニップで、図１に示す画像形成プレート１０５等の印刷プレートと接触するよう設定することができる。印刷ヘッドが、湿し水又は水滴を画像形成ローラの表面上に吐出することができるよう、全幅アレイの印刷ヘッドを処理方向に対して、画像形成ニップの前に設定し配置することができる。吐出された湿し水が、加熱済みの画像形成ローラと接触し、そして画像形成ローラの表面から熱エネルギーを吸収し、その表面を局所的に冷却すると、その湿し水は加熱され気化することができる。その結果、水滴がローラ上のどの位置に付着しても、画像形成ローラの表面を局所的に冷却することができる。
【００１９】
印刷ヘッドを画像形成ローラと画像形成プレートにより形成された画像形成ニップに十分近づけて配置することにより、画像形成ローラの表面の高温領域である背景に対する、画素に対応する一連の冷却スポットを用いて、画像形成ローラの表面温度をパターン化することができる。このパターンを有する表面、又は熱潜像が画像形成ニップに入ると、画像形成ローラの表面のうちの高温である背景部分と接触する画像形成プレートの領域では、画像形成プレートに塗布された湿し水の膜が気化することができる。印刷ヘッドにより、湿し水又は水が吐出された画像形成ローラ上の位置に対応する冷温のスポットがパターン化された領域では、湿し液は気化しない。画像形成ニップの出口部で、内部加熱器、及び／又は外部加熱器が、画像形成ローラの表面の温度を均一な高温に再設定する。クロス処理方向に沿ってニップと均一に接触できるよう、画像形成ローラが柔軟表面を持つようを設定することができる。熱接触式画像形成装置、システム、及び方法は、低コストの画像形成システム、及び水ベースの湿し水を用いた状態で高速の動作に対応する。
【００２０】
一実施形態による熱接触式画像形成装置、及びシステムを図２に示す。具体的に、図２は、装置及びシステムによるデジタル平板インク印刷システム、及び画像形成システムを示す。図２に示されるデジタル平板印刷システム２００は、中央画像形成シリンダ２０１を含み、このシリンダ２０１は、図２に示される中央画像形成シリンダの矢印に対応して処理方向に回転することができる。中央画像形成シリンダ２０１は、画像形成プレート２０５を含む。画像形成プレート２０５は、天然エストマー又は合成エストマーあるいはその他の平板インク印刷に適する材料で形成することができる。実施形態の画像形成装置、システム、及び方法では、画像形成プレートが光吸収材料から形成されている必要はない。
【００２１】
装置及びシステムは、画像形成ローラ２１５を含むことができる。この画像形成ローラは、図２に示される画像形成ローラの矢印に対応して処理方向に回転することができる。画像形成ローラ２１５は処理幅を有して形成され、その幅は画像形成プレート２０５の処理幅とほぼ同じである。画像形成ローラ２１５を１つ以上の外部発熱体、及び／又は内部発熱体、及び／又は１つ以上の温度センサと接続することができ、且つ／又はそれらと隣接して配置することができる。図２には、画像形成ローラ２１５を加熱するよう配置された外部発熱体２１９が示される。発熱体２１９及び画像形成ローラ２１５を、画像形成ローラ２１５が１回転する間に画像形成ローラ２１５を高温Ｔｐまで加熱するよう配置し設定することができる。画像形成ローラ２１５、発熱体２１９、１つ以上の温度センサ２１７、及び／又は１つ以上の接続される制御装置（図示せず）を画像形成ローラ２１５の表面の温度を高温Ｔｐまで加熱するよう設定することができ、このＴｐは湿し水の沸点より高温である。画像形成ローラ２１５を、柔軟表面を持つよう設定することができ、画像形成プレート２０５とニップを形成するよう配置することができる。平板インク印刷の処理中、画像形成ローラ２１５は、画像形成プレート２０５の表面上に形成された湿し水の層と密着する。このような接触の間、湿し水の膜に熱エネルギーを移し、この湿し水を温度Ｔｐまで加熱し、画像形成プレート２０５の表面から気化させることができる。
【００２２】
印刷ヘッド２３０を、画像形成ローラ２１５と隣接して配置することができる。印刷ヘッド２３０は、全幅アレイの印刷ヘッドでよい、又は一連の部分幅アレイの印刷ヘッドでよい。湿し水又は水ベースの溶液を画像形成ローラ２１５の表面上に吐出するよう印刷ヘッドを設定することができる。デジタルデータに従って、画像形成ローラ２１５の表面上に湿し水を吐出して、画像の背景領域、即ち「白の書き込み」画像に対応する熱潜像を形成するよう印刷ヘッド２３０を設定することができる。吐出された液体の滴がそれぞれ、画像形成ローラ２１５表面に接触すると、それらの滴は急速に加熱され、その沸点を超えて蒸発する。この相転移に要するエネルギーは、画像形成ローラの表面から供給され、これにより、画像形成ローラの表面の滴が付着した位置に、例えば、平均温度Ｔｃの領域の局所冷却ゾーンが現れる。温度Ｔｃは湿し水の沸点より低温であることが望ましく、これは、画像形成ローラの熱特性及び滴の質量を設定することにより、所望通りに調整可能である。画像形成ローラ２１５の表面の局所冷却領域を回転させて、画像形成ローラ２１５と画像形成プレート２０５により形成されたニップに入れることができる。印刷プレート２０５上の湿し液の膜は、画像形成ニップ内で分割され、この湿し水のうちの約半分は画像形成プレート２０５上に残る。局所的に温度Ｔｃまで冷却された画像形成ローラの表面の位置で湿し水は残る。画像形成ローラ２１５表面上で滴が付着した領域に対応する印刷プレート２０５上の位置は、その下流のインク塗布ローラのステーションでインクを弾いて、画像の背景に対応する。これとは反対に、画像形成ローラ２１５の表面のうちの印刷ヘッド２３０から滴を受けなかった領域又はゾーンは、高温Ｔｐのままの状態で画像形成ニップを通過し、画像形成プレート２０５上の湿し水の膜に十分な熱エネルギーを移して、その領域の湿し水の膜を局所的に加熱し蒸発させる。図２に概略的に示す通り、空気流、及び／又は真空吸引を供給して、画像形成ニップの画像形成ローラ２１５の上流、画像形成ニップ、画像形成プレート２０５の下流でそれぞれ発生した蒸気を排出する。
【００２３】
平板インクの印刷処理中にローラが画像形成ニップに入ると、画像形成ローラ２１５表面、及び画像形成ローラ２１５の中心部いくつかの性質により、特定のローラの熱標識が影響を受ける可能性がある。例えば、横方向に低い熱伝導率を有するローラ表面が好まれ得る。射出された滴の温度及び滴質量も、システム設計に影響を与える。
【００２４】
デジタル平板インク印刷処理には、図３に示すシステム及び装置を用いる熱接触式画像形成が含まれる。具体的には、図３には、デジタル平板インクの印刷で有用な熱接触式画像形成の方法が示される。インクベースのデジタル印刷に対する熱接触式画像形成の方法は、Ｓ３０５で、画像形成ローラの表面を高温Ｔｐまで加熱するステップを含むことができる。この高温Ｔｐは、デジタル平板インクの印刷処理で画像形成プレートに塗布される湿し水、及び／又は水ベースの溶液の沸点よりも高温でよい。方法は、Ｓ３１５で、加熱済みの画像形成ローラの表面の所望の領域上に、湿し水又は水ベースの溶液を吐出するステップを含むことができる。吐出された湿し水が、加熱済みの画像形成ローラの表面の所望の領域に付着し熱エネルギーを吸収すると、その所望の領域が選択的に冷却される。このように、所望の領域は温度Ｔｃまで冷却され、画像形成ローラ上に潜熱画像を形成する。
【００２５】
図２を参照すると、デジタル平板インクの印刷処理中、湿し水又は水は、湿し水塗布システムにより、画像形成プレート２０５の表面に薄い均一の層として塗布され得る。湿し水の薄膜２３７がその上に形成された画像形成プレート２０５が、画像形成プレート２０５と画像形成ローラ２１５により形成されたニップを通過すると、画像形成ローラ上に形成された潜熱画像及びそれに対応する画像形成ローラ２１５の表面領域が、画像形成プレート２０５及び湿し水２３７と接触する。Ｓ３２０で、吐出後に温度Ｔｐのまま残る加熱済みの画像形成ローラの領域から熱エネルギーを転移して、画像形成プレートの表面の対応する領域の湿し水を蒸発させる。そのため、印刷処理中に画像形成ニップから画像形成プレートが処理方向に向かって出るとき、残余湿し水２３９が画像形成プレート２０５上に残る。Ｓ３１５で、温度Ｔｃまで冷却された、対応する画像形成ローラ２１５の表面領域に接触した画像形成プレート２０５の表面領域には、残余湿し水２３９が残る。残余湿し水２３９を含む画像形成プレート２０５の表面は、インク塗布ローラシステムにより、インクが塗布され得る。図３に示す通り、画像形成プレート２０５で湿し水が残っていない領域では、インクは付着することができ、Ｓ３０５からＳ３２０までの間、画像形成プレート２０５で残余湿し水２３９が残っている領域では、インクが弾かれる。さらにデジタルインクベースの印刷を行うために、Ｓ３０５からＳ３２０までのステップを繰り返すことができる。
【００２６】
熱接触式画像形成装置、システム、及び方法を含むデジタル平板インクの印刷システムは、製造コスト及び処理コストの削減に対応する。システムは、従来技術のデジタル平板インクの印刷システム内に組み込まれているような高出力の線レーザ源を含む画像形成システムよりも、大幅に安価な既知の印刷ヘッドを組み込むことができる。提供する装置、システム及び方法は、既知の好適な外部発熱体、及び／又は内部発熱体を用いることができ、これらの発熱体は安価で、処理速度、湿し水材料の組成のオプション、又は湿し水膜の厚さを制限する可能性のある入力電力に制限に制限されない。さらに装置、システム、及び方法は、画像形成プレートに対する赤外線吸収の要求条件により制限されない。
【図１】
2013241007.tif 000003
【図２】
2013241007.tif 000004
【図３】
2013241007.tif 000005